【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
使用者の画像入力要請に応答して、危険人物と周囲状況とを含む画像データを入力する段階と、
前記画像データをあらかじめ指定された画像変換方式に従って変換する段階と、
前記画像データを保安システムに伝送する段階と
を含むことを特徴とする通信網を利用した危急状況通知方法。
【請求項２】
前記画像データを保安システムに伝送する段階は、
前記画像データを有線通信網または近距離無線通信網を利用して携帯用端末機に伝送する段階を含み、
前記携帯用端末機が前記画像データを移動通信システムに伝送し、
前記携帯用端末機は、移動通信端末機、パーソナル・コンピュータ、及びPDA （パーソナル・デジタル・アシスタント）のうちのいずれか一つであることを特徴とする、請求項１に記載の方法。
【請求項３】
前記方法は、
使用者から画像入力部の画像入力の角度の変更のための画像角度変更命令が入力されたか否かを判断する段階と、
前記画像角度変更命令が入力された場合に、前記画像入力の角度を変更する段階と、
前記変更された角度に対応する画像データを入力する段階とをさらに含み、
前記画像角度変更命令は、携帯用端末機のキーボタンを利用して入力されることを特徴とする、請求項１に記載の方法。
【請求項４】
前記方法は、
前記保安システムまたは移動通信システムから画像入力の角度の変更のための画像角度変更命令が受信されたか否かを判断する段階と、
前記画像角度変更命令が受信された場合に、前記画像入力の角度を変更する段階と、
前記変更された角度に対応する画像データを入力する段階とをさらに含むことを特徴とする、請求項１に記載の方法。
【請求項５】
前記方法は、
使用者により音声データ入力要請が入力された場合に、危険人物の音声及び周囲の音を含む音声データを入力する段階と、
前記音声データをあらかじめ指定された音声変換方式に従って変換する段階と、
前記音声データを保安システムに伝送する段階と
をさらに含むことを特徴とする、請求項１に記載の方法。
【請求項６】
前記方法は、
前記保安システムまたは移動通信システムから音声データが受信されたか否かを判断する段階と、
前記音声データが受信された場合に、前記音声データを音声入出力部を介して出力する段階と
をさらに含むことを特徴とする、請求項１に記載の方法。
【請求項７】
前記方法は、
GPS 衛星から地理情報を受信する段階と、
前記地理情報を利用して現在位置を判断する段階と、
前記現在位置をあらかじめ指定された位置変換方法で位置データに変換する段階と、
前記位置データを前記保安システムに伝送する段階と
をさらに含むことを特徴とする、請求項１に記載の方法。
【請求項８】
使用者の画像データ入力要請に応答して、危険人物及び周囲状況を含む画像データを入力する段階と、
使用者から画像入力部の画像入力の角度を遠隔制御できる権限を附与する権限附与命令を入力する段階と、
前記画像データと前記権限附与命令をあらかじめ指定された変換方式に従って変換する段階と、
前記画像データと前記権限附与命令とを保安システムに伝送する段階と
を含むことを特徴とする通信網を利用した危急状況通知方法。
【請求項９】
使用者の携帯用端末機または画像入力装置から画像データを受信する段階と、
前記使用者に対応する使用者情報を検索する段階であって、前記使用者情報は前記使用者の電話番号、IPアドレスのうち少なくとも一つを含む検索段階と、
前記使用者の位置を把握する段階と、
前記位置をあらかじめ指定された位置変換方法により位置データに変換する段階と、
前記画像データと前記位置データを保安システムに伝送する段階と
を含むことを特徴とする通信網を利用した危急状況通知方法。
【請求項１０】
前記方法は、
前記携帯用端末機または前記画像入力装置から危険人物の音声を含む音声データを受信する段階と、
前記音声データを前記保安システムに伝送する段階と
をさらに含むことを特徴とする、請求項９に記載の方法。
【請求項１１】
危急状況に直面した使用者に助けを提供するための方法において、
移動通信システム、携帯用端末機、画像入力装置のうちの一つから危険人物の画像を含む画像データを受信する段階と、
前記画像データをあらかじめ指定された格納方法により格納部に格納する段階と、
前記画像データをスクリーンに表示する段階と、
前記危急状況を保安要員に通知する段階と
を含み、
前記画像データは、自動に格納されるか、又は保安要員の格納命令に応答して格納されること
を特徴とする方法。
【請求項１２】
前記方法は、
保安要員から、前記画像入力装置の画像入力の角度変更のための角度変更命令を入力する段階と、
前記角度変更命令を前記移動通信システム、前記携帯用端末機、及び前記画像入力装置のうちの一つに伝送する段階と
をさらに含むことを特徴とする、請求項１１に記載の方法。
【請求項１３】
前記角度変更命令を前記移動通信システム、前記携帯用端末機、及び前記画像入力装置のうちの一つに伝送する段階は、
前記移動通信システム、前記携帯用端末機、及び前記画像入力装置のうちの１つにより前記画像入力装置の画像入力の角度を遠隔制御できる権限を附与するための権限附与命令が受信されたか否かをあらかじめ判断することを備えることを特徴とする、請求項１２に記載の方法。
【請求項１４】
前記方法は、
前記移動通信システム、前記携帯用端末機、及び前記画像入力装置のうちの一つから位置データを受信する段階と、
前記位置データを利用して前記使用者の位置をスクリーンに表示する段階と
をさらに含み、
前記位置データが地図又はテキストで表示されることを特徴とする、請求項１１に記載の方法。
【請求項１５】
前記方法は、
前記移動通信システム、前記携帯用端末機、及び前記画像入力装置のうちの一つから危険人物の音声を含む音声データを受信する段階と、
前記音声データをあらかじめ指定された格納方法により格納部に格納する段階と
をさらに含むことを特徴とする、請求項１１に記載の方法。
【請求項１６】
前記方法は、
保安要員から危急状況解決のための警告音声を入力する段階と、
前記警告音声をあらかじめ指定された音声変換方法により警告音声データに変換する段階と、
前記警告音声データを前記移動通信システム、前記携帯用端末機、及び前記画像入力装置のうちの一つに伝送する段階と
をさらに含むことを特徴とする、請求項１１に記載の方法。
【請求項１７】
使用者の画像入力要請に応答して、危険人物及び周囲状況を含む画像データを入力する手段と、
前記画像データをあらかじめ指定された画像変換方式に従って変換する手段と、
前記画像データを保安システムに伝送する手段と
を含み、
前記画像データの入力を使用者が車両内で、足で制御することを特徴とする通信網を利用した危急状況通知システム。
【請求項１８】
前記システムは、
前記使用者から画像入力部の画像入力の角度の変更のための画像角度変更命令が入力されたか否かを判断する手段と、
前記画像角度変更命令が入力された場合に、前記画像入力の角度を変更する手段と
をさらに含むことを特徴とする、請求項１７に記載のシステム。
【請求項１９】
前記システムは、
前記保安システムまたは移動通信システムから画像入力の角度の変更のための画像角度変更命令が受信されたか否かを判断する手段と、
前記画像角度変更命令が受信された場合に、前記画像入力の角度を変更する手段と
をさらに含むことを特徴とする、請求項１７に記載のシステム。
【請求項２０】
前記システムは、
前記使用者により音声データ入力要請が入力された場合に、危険人物の音声及び周囲の音を含む音声データを入力する手段と、
前記音声データをあらかじめ指定された音声変換方式に従って変換する手段と、
前記音声データを介して保安システムに伝送する手段と
をさらに含むことを特徴とする、請求項１７に記載のシステム。
【請求項２１】
前記システムは、
前記保安システムまたは移動通信システムから音声データが受信されたか否かを判断する手段と、
前記音声データが受信された場合に、前記音声データを音声入出力部を介して出力する手段と
をさらに含むことを特徴とする、請求項１７に記載のシステム。
【請求項２２】
前記システムは、
GPS 衛星から地理情報を受信する手段と、
前記地理情報を利用して現在位置を判断する手段と、
前記現在位置をあらかじめ指定された位置変換方法で位置データに変換する手段と、
前記位置データを前記保安システムに伝送する手段と
をさらに含むことを特徴とする、請求項１７に記載のシステム。
【請求項２３】
使用者の画像データ入力要請に応答して、危険人物及び周囲状況を含む画像データを入力する手段と、
前記使用者から画像入力部の画像入力の角度に対する遠隔制御権限を附与するための権限附与命令を入力する手段と、
前記画像データと前記権限附与命令をあらかじめ指定された変換方式に従って変換する手段と、
前記画像データと前記権限附与命令を保安システムに伝送する手段と
を含むことを特徴とする通信網を利用した危急状況通知システム。
【請求項２４】
使用者の携帯用端末機または画像入力装置から画像データを受信する手段と、
前記使用者に対応する使用者情報を検索する手段であって、前記使用者情報は電話番号、IPアドレスのうち少なくともいずれか一つを含む検索手段と、
前記使用者の位置を把握する手段と、
前記位置をあらかじめ指定された位置変換方法により位置データに変換する手段と、
前記画像データと前記位置データを保安システムに伝送する手段と
を含むことを特徴とする通信網を利用した危急状況通知システム。
【請求項２５】
前記システムは、
前記携帯用端末機または前記画像入力装置から危険人物の音声を含む音声データを受信する手段と、
前記音声データを前記保安システムに伝送する手段と
をさらに含むことを特徴とする、請求項２４に記載のシステム。
【請求項２６】
危急状況に直面した使用者に助けを提供するためのシステムにおいて、
移動通信システム、携帯用端末機、及び画像入力装置のうちの一つから危険人物を含む画像データを受信する手段と、
前記画像データをあらかじめ指定された格納方法により格納部に格納する手段と、
前記画像データをスクリーンに表示する手段と、
危急状況情報を保安要員に通知する手段と
を含むことを特徴とするシステム。
【請求項２７】
前記システムは、
前記画像入力装置の画像入力の角度変更のための角度変更命令を保安要員から入力する手段と、
前記角度変更命令を前記移動通信システム、前記携帯用端末機、及び前記画像入力装置のうちの一つに伝送する手段と
をさらに含むことを特徴とする、請求項２６に記載のシステム。
【請求項２８】
前記システムは、
前記移動通信システム、前記携帯用端末機、及び前記画像入力装置のうちの一つから位置データを受信する手段と、
前記位置データを利用して前記使用者の位置を前記スクリーンに表示する手段と
をさらに含むことを特徴とする、請求項２６に記載のシステム。
【請求項２９】
前記システムは、
前記移動通信システム、前記携帯用端末機、及び前記画像入力装置のうちの一つから危険人物の音声を含む音声データを受信する手段と、
前記音声データをあらかじめ指定された格納方法により格納部に格納する手段と
をさらに含むことを特徴とする、請求項２６に記載のシステム。
【請求項３０】
前記システムは、
保安要員から危急状況解決のための警告音声を入力する手段と、
前記警告音声をあらかじめ指定された音声変換方法により警告音声データに変換する手段と、
前記警告音声データを前記移動通信システム、前記携帯用端末機、前記画像入力装置のうちの一つに伝送する手段と
をさらに含むことを特徴とする、請求項２６に記載のシステム。
【請求項３１】
通信網を利用した危急状況通知システムであって、システムは、
記憶装置と、
前記記憶装置に接続されたプロセッサとを含み、
前記記憶装置は、前記プロセッサを制御するプログラムを格納し、
前記プロセッサは、前記プログラムにより、請求項１１ないし請求項１６のいずれか一項に記載された方法を実行することを特徴とするシステム。
【請求項３２】
請求項１ないし請求項８のいずれか一項に記載された方法を行うために、コンピュータ実行可能な命令が格納され、デジタル処理装置により実行可能な命令プログラムにより具体的に実現された、コンピュータ読み取り可能な媒体。
【請求項３３】
請求項１１ないし請求項１６のいずれか一項に記載された方法を行うために、コンピュータ実行可能な命令が格納され、デジタル処理装置により実行可能な命令プログラムにより具体的に実現された、コンピュータ読み取り可能な媒体。
【手続補正２】
【補正対象書類名】明細書
【補正対象項目名】０００９
【補正方法】変更
【補正の内容】
【０００９】
前記目的を達成するため、本発明の一実施形態によると、使用者の画像入力要請に応答して、危険人物及び周囲状況を含む画像データを入力する段階と、前記画像データをあらかじめ指定された画像変換方式に従って変換する段階と、前記画像データを保安システムに伝送する段階とを含むことを特徴とする方法が提供される。
【手続補正３】
【補正対象書類名】明細書
【補正対象項目名】００１１
【補正方法】変更
【補正の内容】
【００１１】
前記方法は、使用者から画像入力部の画像入力の角度の変更のための画像角度変更命令が入力されたか否かを判断する段階と、前記画像角度変更命令が入力された場合に、前記画像入力の角度を変更する段階と、前記変更された角度に対応する画像データを入力する段階をさらに含むことができる。そして、前記画像角度変更命令は、携帯用端末機のキーボタンを利用して入力することができる。
【手続補正４】
【補正対象書類名】明細書
【補正対象項目名】００１２
【補正方法】変更
【補正の内容】
【００１２】
前記方法は、前記保安システムまたは移動通信システムから前記画像入力の角度の変更のための画像角度変更命令が受信されたか否かを判断する段階と、前記画像角度変更命令が受信された場合に、前記画像入力の角度を変更する段階と、前記変更された角度に対応する画像データを入力する段階とをさらに含むことができる。
【手続補正５】
【補正対象書類名】明細書
【補正対象項目名】００１３
【補正方法】変更
【補正の内容】
【００１３】
本発明のシステムは、使用者により音声データ入力要請が入力された場合に、危険人物の音声及び周囲の音を含む音声データを入力し、前記音声データをあらかじめ指定された音声変換方式に従って変換し、前記音声データを保安システムに伝送する。
【手続補正６】
【補正対象書類名】明細書
【補正対象項目名】００１６
【補正方法】変更
【補正の内容】
【００１６】
また、本発明の目的を達成するために、本発明の別の好ましい実施形態によると、使用者の画像入力要請に応答して、危険人物及び周囲状況を含む画像データを入力する段階と、使用者から画像入力部の画像入力の角度に対する遠隔制御権限を附与するための権限附与命令を入力する段階と、前記画像データと前記権限附与命令をあらかじめ指定された変換方式に従って変換する段階と、前記画像データと前記権限附与命令を保安システムに伝送する段階とを含むことを特徴とする方法が提供される。
【手続補正７】
【補正対象書類名】明細書
【補正対象項目名】００１８
【補正方法】変更
【補正の内容】
【００１８】
前記方法は、前記携帯用端末機または前記画像入力装置から危険人物の音声を含む音声データを受信する段階と、前記音声データを前記保安システムに伝送する段階とをさらに含むことができる。
【手続補正８】
【補正対象書類名】明細書
【補正対象項目名】００１９
【補正方法】変更
【補正の内容】
【００１９】
また、本発明の目的を達成するために、本発明の好ましいもう一つの実施形態によると、移動通信システム、携帯用端末機、及び画像入力装置のうちの一つから危険人物を含む画像データを受信する段階と、前記画像データをあらかじめ指定された格納方法( 受信する画像データを自動に格納されるようにするか、保安要員の格納命令に応答して格納するようにする) によって格納部に格納する段階と、前記画像データをスクリーンに表示する段階とを含む方法が提供される。
【手続補正９】
【補正対象書類名】明細書
【補正対象項目名】００２０
【補正方法】変更
【補正の内容】
【００２０】
前記方法は、保安要員から画像入力装置の画像入力の角度変更のための角度変更命令を入力する段階と、前記角度変更命令を移動通信システム、携帯用端末機、画像入力装置のうちの一つに伝送する段階をさらに含むことができる。
【手続補正１０】
【補正対象書類名】明細書
【補正対象項目名】００２１
【補正方法】変更
【補正の内容】
【００２１】
前記角度変更命令を前記移動通信システム、前記携帯用端末機、及び前記画像入力装置のうちの一つに伝送する段階は、前記移動通信システム、前記携帯用端末機、前記画像入力装置のうちの一つにより、画像入力部の画像入力の角度に対する遠隔制御権限を附与するための権限附与命令を受信されたか否かをあらかじめ判断することを含む。
【手続補正１１】
【補正対象書類名】明細書
【補正対象項目名】００２３
【補正方法】変更
【補正の内容】
【００２３】
前記方法は、移動通信システム、携帯用端末機、及び画像入力装置のうちの一つから危険人物の音声を含む音声データを受信する段階と、前記音声データをあらかじめ指定された格納方法によって格納部に格納する段階をさらに含むことができる。